(57)【要約】【課題】軒樋の貫通孔に対して容易かつ正確に位置決めすることができる排水部材を提供する。【解決手段】軒樋５１の底部５１ａから排水するための排水部材１であって、底部５１ａに形成された貫通孔５１ｂの下方に配置される外側筒部１１を有し、底部５１ａの下面に固着される下筒１０と、外側筒部１１の内側に装着され、上端部が貫通孔５１ｂ内に配置され、かつ上端部が下方から上方に向かい徐々に拡径する内側筒部２１、および内側筒部２１の上端部から径方向の外側に向けて延び、底部５１ａの上面に載置される載置部２２を有する上筒２０と、を備え、下筒１０、および内側筒部２１の上端部のうちのいずれか一方には、貫通孔５１ｂ内に位置するようにいずれか他方に向けて突出し、貫通孔５１ｂの内周縁に係合する係合部２３が形成されている。【選択図】図２
2019132060.tif 000002
【特許請求の範囲】
【請求項１】
軒樋の底部から排水するための排水部材であって、
前記底部に形成された貫通孔の下方に配置される外側筒部を有し、前記底部の下面に固着される下筒と、
前記外側筒部の内側に装着され、上端部が前記貫通孔内に配置され、かつ上端部が下方から上方に向かい徐々に拡径する内側筒部、および前記内側筒部の上端部から径方向の外側に向けて延び、前記底部の上面に載置される載置部を有する上筒と、を備え、
前記下筒、および前記内側筒部の上端部のうちのいずれか一方には、前記貫通孔内に位置するようにいずれか他方に向けて突出し、前記貫通孔の内周縁に係合する係合部が形成されていることを特徴とする排水部材。
【請求項２】
前記係合部は、周方向の全域にわたって形成されていることを特徴とする請求項１に記載の排水部材。
【請求項３】
前記下筒、および前記内側筒部の上端部のうちのいずれか他方には、上下方向に窪み前記係合部が配置される逃げ部が形成されていることを特徴とする請求項１又は２に記載の排水部材。
【請求項４】
前記係合部は、前記内側筒部の上端部に形成されていることを特徴とする請求項１から３のいずれか１項に記載の排水部材。
【請求項５】
前記係合部は、前記内側筒部の上端部に形成され、
前記下筒は、前記外側筒部の上端部から径方向の外側に向けて延び、前記底部の下面に固着される固着部を更に有し、
前記固着部には、下方に向けて窪み前記係合部が配置される逃げ部が形成され、
前記載置部の下面から前記係合部の下端縁までの上下方向の距離Ｌ１、
前記固着部の上面から前記逃げ部の底面までの上下方向の距離Ｌ２、
および前記底部における上下方向の厚みＴ１は、下記（１）式を満たしていることを特徴とする請求項１又は２に記載の排水部材。
Ｌ２＞Ｌ１−Ｔ１…（１）
【発明の詳細な説明】
【技術分野】
【０００１】
本発明は、排水部材に関する。
【背景技術】
【０００２】
従来から、下記特許文献１に示すように、軒樋の底部から排水するための排水部材が知られている。この排水部材は、軒樋に固着され、かつ軒樋の底部に形成された貫通孔の下方に配置される外側筒部を有する下筒と、上端部が貫通孔内に配置され、外側筒部の内側に装着される内側筒部を有する上筒と、を備えている。内側筒部の上端部は、下方から上方に向かい徐々に拡径している。
【先行技術文献】
【特許文献】
【０００３】
【特許文献１】特許第４１３０６１６号公報
【発明の概要】
【発明が解決しようとする課題】
【０００４】
従来の排水部材では、内側筒部の上端部が、下方から上方に向かい徐々に拡径していて、内側筒部の上端部の外径が、上端部よりも下側に位置する部分の外径よりも大きい。この内側筒部の上端部を、軒樋の貫通孔に配置する必要があることから、貫通孔の内径を、内側筒部において上端部よりも下側に位置する部分の外径よりも大きくする必要がある。このため、例えば施工時において内側筒部を軒樋の底部の上方から貫通孔に挿入するとき等に、貫通孔に対して内側筒部の径方向の位置が定まりにくく、例えば貫通孔に対して偏った位置に上筒が取付けられることにより、止水性が悪化する等という問題があった。
【０００５】
本発明は、前述した事情に鑑みてなされたものであって、軒樋の貫通孔に対して容易かつ正確に位置決めすることができる排水部材を提供することを目的とする。
【課題を解決するための手段】
【０００６】
前記課題を解決するために、本発明は以下の手段を提案している。
本発明に係る排水部材は、軒樋の底部から排水するための排水部材であって、前記底部に形成された貫通孔の下方に配置される外側筒部を有し、前記底部の下面に固着される下筒と、前記外側筒部の内側に装着され、上端部が前記貫通孔内に配置され、かつ上端部が下方から上方に向かい徐々に拡径する内側筒部、および前記内側筒部の上端部から径方向の外側に向けて延び、前記底部の上面に載置される載置部を有する上筒と、を備え、前記下筒、および前記内側筒部の上端部のうちのいずれか一方には、前記貫通孔内に位置するようにいずれか他方に向けて突出し、前記貫通孔の内周縁に係合する係合部が形成されていることを特徴とする。
【０００７】
この場合、下筒、および内側筒部の上端部のうちのいずれか一方に、係合部が形成されている。このため、貫通孔に上筒を挿通して下筒に装着させる際に、係合部が貫通孔の内周縁と係合することで、前記いずれか一方が貫通孔に対して径方向に位置決めされた状態となる。これにより、軒樋の貫通孔に対して容易かつ正確に排水部材を位置決めすることができる。
【０００８】
また、前記係合部は、周方向の全域にわたって形成されてもよい。
【０００９】
この場合、係合部が周方向の全域にわたって形成されている。このため、係合部を、貫通孔に対して径方向に確実に係合させることが可能になり、係合部による位置決めの効果を顕著に奏することができる。
【００１０】
また、前記下筒、および前記内側筒部の上端部のうちのいずれか他方には、上下方向に窪み前記係合部が配置される逃げ部が形成されてもよい。
【００１１】
この場合、下筒、および内側筒部の上端部のうちのいずれか他方に逃げ部が形成されているので、係合部と前記いずれか他方とが互いに干渉するのを回避することができる。
【００１２】
また、前記係合部は、前記内側筒部の上端部に形成されてもよい。
【００１３】
この場合、係合部が内側筒部の上端部に形成されているので、下筒に係合部を形成する必要がない。このため、下筒に接着剤を塗布して、下筒を軒樋の底部に固着する場合に、外側筒部の上端部における内周縁部に、余分な接着剤が流れ出る空間を確保しやすくすることができる。すなわち、下筒に係合部が形成されている場合、係合部が、前記の余った接着剤が流れ出ようとすることを邪魔するおそれがある。
【００１４】
また、前記係合部は、前記内側筒部の上端部に形成され、前記下筒は、前記外側筒部の上端部から径方向の外側に向けて延び、前記底部の下面に固着される固着部を更に有し、前記固着部には、下方に向けて窪み前記係合部が配置される逃げ部が形成され、前記載置部の下面から前記係合部の下端縁までの上下方向の距離Ｌ１、前記固着部の上面から前記逃げ部の底面までの上下方向の距離Ｌ２、および前記底部における上下方向の厚みＴ１は、下記（１）式を満たしてもよい。
Ｌ２＞Ｌ１−Ｔ１…（１）
【００１５】
この場合、係合部および逃げ部の上下方向の軸方向の大きさ、および軒樋の底部における軸方向の厚みが（１）式を満たしているので、下筒と上筒とを軒樋の底部に取付けた際に、係合部と逃げ部とが互いに干渉するのを確実に回避することができる。
【発明の効果】
【００１６】
本発明によれば、軒樋の貫通孔に対して容易かつ正確に排水部材を位置決めすることができる。
【図面の簡単な説明】
【００１７】
【図１】本発明の一実施形態に係る排水部材が設けられた雨樋の外観図である。
【図２】図１に示す排水部材の縦断面図である。
【図３】図１に示す排水部材を軒樋に取付ける前の状態を示す縦断面図である。
【図４】図２に示す排水部材に渦流防止部材を取付けた状態を示す縦断面図である。
【図５】図４に示す渦流防止部材の外観図である。
【図６】図２に示す排水部材に、他の形態である渦流防止部材を取付けた状態を示す縦断面図である。
【図７】図６に示す渦流防止部材の外観図である。
【図８】図２に示す排水部材に、カバーを取付けた状態を示す縦断面図である。
【図９】図８に示すカバーの外観図である。
【発明を実施するための形態】
【００１８】
以下、図面を参照し、本発明の一実施形態に係る排水部材１について説明する。
図１に示すように、本実施形態に係る排水部材１は、高排水機能を有するものであり、例えば工場やショッピングセンター等の大型施設の建物に取り付けられている雨樋５０のうち、軒先に配置される軒樋５１の内側に設けられる。
【００１９】
雨樋５０は、図１に示すように、軒先に沿って延びる軒樋５１と、軒樋５１の底部５１aに形成される円形の貫通孔５１ｂ（図２参照）に、呼び樋５２を介して接続された竪樋５３と、を有している。
貫通孔５１ｂが複数設けられる場合には、貫通孔５１ｂ同士の間の間隔は、３０ｍ以下となっている。また、貫通孔５１ｂが１つ設けられる場合には、軒樋５１の端部（止り）から貫通孔５１ｂまでの距離は１５ｍ以下となっている。
貫通孔５１ｂの内径は、５ｃｍ２〜３００ｃｍ２、好ましくは１３〜１９０ｃｍ２、より好ましくは２０〜１４０ｃｍ２である。
【００２０】
呼び樋５２は、軒樋５１に設けられた排水部材１から流下した雨水Ｗを水平に導水するもので、一端側が第１エルボ５４によって排水部材１の下端に接続され、他端側が第２エルボ５５によって竪樋５３の上端に接続されている。
なお、このような態様に限られず、各エルボ５４、５５は、９０°エルボではなく、１３５°のエルボでもよいし、各エルボ５４、５５を用いずに、排水部材１と竪樋５３とが直接接続されていてもよい。
雨樋５０の水平方向の距離は１．５ｍ以下とし、１ｍ以下であることが好ましい。ここで、雨樋５０の水平方向の距離とは、貫通孔５１ｂの中心から竪樋５３の中心軸までの、呼び樋５２を含む水平方向の距離を指す。
【００２１】
竪樋５３は、建物の外壁Ｐに沿って上下方向に配設され、竪樋５３の下端が地中に埋設された不図示の排水管に接続されている。これにより、屋根の軒先から流下した雨水を軒樋５１で受けて、呼び樋５２および竪樋５３を通して排水管側に排水する。
竪樋５３の高さは２ｍ以上とし、３ｍ以上であることが好ましい。ここで、竪樋５３の高さとは、雨樋５０が呼び樋５２を備える場合には、第２エルボ５５との接続部分までの上下方向の距離を指す。また、雨樋５０が呼び樋５２を備えない場合には、排水部材１との接続部分までの上下方向の距離を指す。
【００２２】
軒樋５１は、硬質塩化ビニル樹脂やＡＢＳ、ＡＥＳ等の合成樹脂の押出成形品であり、断面溝形状をなしている。
そして軒樋５１は、不図示の鼻隠し板に取り付けられた雨樋吊具（図示省略）により吊設されて、屋根の軒先から流下した雨水を受ける。
【００２３】
軒樋５１は、熱による伸縮防止のため、線膨張係数が２．０×１０−５／℃以下であることが好ましい。また、軒樋５１の厚さ方向の中心に延伸したＰＥＴ樹脂製シートや鉄製のシートなど低伸縮性シートを内挿したり、軒樋５１を構成する合成樹脂自体にワラストナイトや炭素繊維などの低伸縮性の添加物を配合することで線膨張係数を小さくしたりしてもよい。
なお、軒樋５１の材質としては、合成樹脂材料に限るものではなく、例えば金属材料の押出成形品等であっても良い。
【００２４】
図２に示す排水部材１は、大雨時に軒樋５１内に流入した雨水Ｗ（図１参照）を軒樋５１の底部５１ａから排水する高排水機能を有しており、排水部材１の単位面積あたりの排水流量が０．２５Ｌ／秒・ｃｍ２以上の排水性能であり、０．３０Ｌ／秒・ｃｍ２以上であることが好ましい。
図２に示すように、排水部材１は、底部５１ａの下面に固着される下筒１０と、下筒１０に装着される上筒２０と、を備えている。下筒１０および上筒２０は上下方向に延びる共通軸上に配置されている。
【００２５】
以下、この共通軸を中心軸線Ｏという。そして、排水部材１を上下方向から見た平面視において、中心軸線Ｏと直交する方向を径方向といい、中心軸線Ｏ回りに周回する方向を周方向という。
【００２６】
下筒１０および上筒２０は、硬質塩化ビニル樹脂やポリカーボネート、ＡＢＳ、ＡＥＳ等の合成樹脂の射出成型品である。なお、下筒１０および上筒２０は、合成樹脂材料に限られず、鋳型を用いた鋳鉄材料により形成されてもよい。また、上筒２０および下筒１０は、互いに異なる材料により形成されてもよい。
【００２７】
下筒１０は、底部５１ａの貫通孔５１ｂの下方に配置される外側筒部１１と、外側筒部１１の上端部から径方向の外側に向けて延び、底部５１ａの下面に固着される固着部１２と、を有している。
外側筒部１１は、円筒状をなし、中心軸線Ｏと同軸に配置されている。固着部１２は、上下方向から見た平面視で円形状をなし、中心軸線Ｏと同軸に配置されている。
【００２８】
外側筒部１１は、この外側筒部１１の上端部を形成する大径部１１Ａと、大径部１１Ａの下端部に連結され、大径部１１Ａよりも小径の小径部１１Ｂと、を備えている。大径部１１Ａおよび小径部１１Ｂは中心軸線Ｏと同軸に配置されている。
大径部１１Ａの上下方向の大きさは、小径部１１Ｂの上下方向の大きさよりも小さくなっている。
【００２９】
大径部１１Ａの上端部は、外側筒部１１の上端部を形成している。大径部１１Ａの上端部は、下方から上方に向かい徐々に拡径している。
図示の例では、大径部１１Ａの上端部は、曲面に形成されたベルマウス形状をなしている。大径部１１Ａの上端部は、縦断面視（上下方向に沿う断面）において、径方向の内側に向けて凸をなす。
【００３０】
大径部１１Ａの上端部は、テーパー形状をなしてもよい。大径部１１Ａの上端部の縦断面視（上下方向に沿う断面）における曲率半径は、例えば３ｍｍ以上４５ｍｍ以下とされ、好ましく５ｍｍ以上、４５ｍｍ以下である。
小径部１１Ｂには、第１エルボ５４が嵌合される。小径部１１Ｂおよび第１エルボ５４それぞれの外周面は、径方向に段差なく面一になっている。小径部１１Ｂの内周面には、周方向に延びる雌ねじ部１１Ｃが形成されている。雌ねじ部１１Ｃは、周方向の全周にわたって間隔をあけて（間欠的に）設けられている。
【００３１】
上筒２０は、外側筒部１１の内側に装着された内側筒部２１、および内側筒部２１の上端部から径方向の外側に向けて延び、底部５１ａの上面に載置される載置部２２を有している。
内側筒部２１は、円筒状をなし、中心軸線Ｏと同軸に配置されている。載置部２２は上下方向から見た平面視で円形状をなし、中心軸線Ｏと同軸に配置されている。載置部２２の下面には接着剤が塗布され、軒樋５１における底部５１ａの上面と固着される。
【００３２】
内側筒部２１の上端部は貫通孔５１ｂ内に配置されるとともに、下方から上方に向かい徐々に拡径している。図示の例では、内側筒部２１の上端部は、曲面に形成されたベルマウス形状をなしている。
内側筒部２１の上端部は、縦断面視（上下方向に沿う断面）において、径方向の内側に向けて凸をなす。なお、内側筒部２１の上端部は、テーパー形状をなしてもよい。
【００３３】
内側筒部２１の上端部の縦断面視（上下方向に沿う断面）における曲率半径は、例えば５ｍｍ以上５０ｍｍ以下とされ、８ｍｍ以上４５ｍｍ以下が好ましく、１０ｍｍ以上４０ｍｍ以下がより好ましく、１３ｍｍ以上３０ｍｍ以下がさらに好ましい。
内側筒部２１の下端部における外周面は、雌ねじ部１１Ｃに装着される雄ねじ部２１Ａが形成されている。雄ねじ部２１Ａは、周方向の全周にわたって連続して設けられている。
【００３４】
そして本実施形態では、下筒１０、および内側筒部２１の上端部のうちのいずれか一方には、貫通孔５１ｂ内に位置するようにいずれか他方に向けて突出し、貫通孔５１ｂの内周縁に係合する係合部２３が形成されている。図示の例では、係合部２３は内側筒部２１の上端部に形成され、下筒１０に向けて突出している。
【００３５】
係合部２３は、内側筒部２１の上端部に、周方向の全域にわたって連続して形成されている。その結果、上筒２０の肉厚は、内側筒部２１の上端部において、その他の部分より厚くなっている。なお、このような態様に限られず、係合部２３は、周方向に間隔をあけて複数形成されてもよく、周方向に点状に２カ所形成してもよい。係合部２３を間隔をあけて形成することで、載置部２２に塗布された接着剤の余剰分を複数の係合部２３の間から貫通孔５１ｂを通って内側筒部２１と下筒１０の間に逃がすことができる。
【００３６】
係合部２３は、内側筒部２１の上端部の外周面から、径方向の外側に向けて突出している。係合部２３は、前述のように周方向の全域にわたって連続して形成されており、外径が貫通孔５１ｂの内径と略同等な環状に形成されている。係合部２３の外径は、貫通孔５１ｂの内径よりも小さいことが好ましい。このような構成とすることで、載置部２２に塗布された接着剤の余剰分を係合部２３と貫通孔５１ｂの隙間から貫通孔５１ｂを通って内側筒部２１と下筒１０の間に逃がすことができる。
係合部２３は、径方向の外側を向く外周面２３ａと、下方を向く下端面２３ｂ（下端縁）と、を備えている。
【００３７】
外周面２３ａは、上下方向に沿って延び、下端面２３ｂは、径方向に沿って延びている。外周面２３ａおよび下端面２３ｂは、直角形状をなすように交差している。外周面２３ａは、載置部２２の下面と係合部２３の下端面２３ｂとを連結する段部を形成している。
下端面２３ｂにおける径方向の内側の端部は、内側筒部２１の外周面に曲面を介して連結されている。前記曲面は、下方に向かうに従い徐々に径方向の内側に延びていて、縦断面視において径方向の内側に向けて突となす。
なお、外周面２３ａおよび下端面２３ｂは直角形状をなすように交差していなくともよく、外周面２３ａおよび下端面２３ｂとの間が９０°より大きな角度をなすように交差していてもよく、曲面やテーパ面を有していても良い。
【００３８】
また、下筒１０、および内側筒部２１の上端部のうちのいずれか他方には、上下方向に窪み係合部２３が配置される逃げ部１３が形成されている。
図示の例では、逃げ部１３は下筒１０の固着部１２に形成されている。逃げ部１３は下方に向けて窪み、固着部１２に、周方向の全域にわたって形成されている。
【００３９】
固着部１２の外周縁部には、接着剤が塗布される塗布部１４が形成されている。塗布部１４は、固着部１２の外周縁部の上面において、下方に向けて窪むとともに、周方向の全域にわたって形成されている。塗布部１４は、逃げ部１３に対して径方向の外側に隣接して配置されている。
なお、このような態様に限られず、塗布部１４は周方向に間隔をあけて複数形成されてもよい。
【００４０】
ここで、図３に示すように、載置部２２の下面から係合部２３の下端縁（係合部２３の径方向の外側の端部における下端縁）までの上下方向の距離Ｌ１、固着部１２の上面から逃げ部１３の底面までの上下方向の距離Ｌ２、および底部５１ａにおける上下方向の厚みＴ１は、下記（１）式を満たしている。
Ｌ２＞Ｌ１−Ｔ１…（１）
なお、このような態様に限られず、前記距離Ｌ２が下記（２）式を満たしてもよく、式（２）の場合、下筒１０には逃げ部１３は設けなくてもよい。
Ｔ１＞Ｌ２≧Ｔ１／２…（２）
【００４１】
また、載置部２２の下面から係合部２３の下端縁までの上下方向の距離Ｌ１は、底部５１ａにおける上下方向の厚みＴ１の半分よりも大きいことが好ましい。底部５１ａにおける上下方向の厚みＴ１は例えば１．０ｍｍ以上４．０ｍｍ以下であり、１．５ｍｍ以上３．５ｍｍ以下が好ましい。
固着部１２の上面から塗布部１４の底面までの上下方向の距離Ｌ４は、固着部１２の上面から逃げ部１３の底面までの上下方向の距離Ｌ２の半分以下となっている。
【００４２】
次に、軒樋５１への排水部材１の取付け方法について説明する。
まず、軒樋５１の底部５１ａに、貫通孔５１ｂを形成する。この際、貫通孔５１ｂの内径は、内側筒部２１の係合部２３における外周面２３ａの外径に基づいて設定することができる。
【００４３】
次に、貫通孔５１ｂを上下方向に挟む位置に、下筒１０および上筒２０を各別に配置する。そして、貫通孔５１ｂ内に上筒２０の内側筒部２１を挿通して、内側筒部２１の上端部における係合部２３を、貫通孔５１ｂの内側に配置し、貫通孔５１ｂの内周縁に径方向に係合させる。これと同時に、載置部２２の下面に接着剤を塗布し、軒樋５１における底部５１ａの上面に固着する。
【００４４】
次に、下筒１０の固着部１２における塗布部１４に接着剤を塗布する。そして、下筒１０の外側筒部１１を、上筒２０の内側筒部２１に装着する。この際、固着部１２の上面を軒樋５１の底部５１ａの下面に当接する。
ここで、余分な接着剤が、逃げ部１３から内側に流れ出ることで、接着剤が固着部１２の上面から径方向の外側に漏れ出て、排水部材１の外観に影響が生じるのを防ぐことができる。
【００４５】
次に、排水部材１の作用について説明する。
図１に示す状態において、軒樋５１内に大量の雨水Ｗが流れ込むと、竪樋５３、呼び樋５２、第１エルボ５４、および第２エルボ５５内に雨水Ｗが充満する状態となる。これによりサイフォン現象が発生し、大量の雨水Ｗが排水部材１により軒樋５１から排水される。
この際、内側筒部２１の上端部が、下方から上方に向かい徐々に拡径しているので、サイフォン現象に基づく雨水Ｗの流速の上昇が妨げられることがなく、大量の雨水Ｗを排水部材１により排水することができる。
【００４６】
ところで、雨水Ｗが軒樋５１の落とし口（内側筒部２１の上端部における開口部）から流れ込むときには、渦流が発生して空気を吸い込みやすくなる。仮に空気を吸い込むと、排水は自然落下排水に戻る。
従って、サイフォン現象の発生を安定して持続させるためには、図４から図７に示すような渦流防止部材５、６を排水部材１の上端部に取付けてもよい。
【００４７】
図４および図５に示すように、渦流防止部材５は、円筒５ａと、円筒５ａの内部に配置された格子状の仕切り板５ｂと、を備えている。円筒５ａの外径は、上筒２０の内側筒部２１の内径と実質的に同一とされている。
特に、円筒５ａの軸方向の長さが５０ｍｍ以上（例えば５０〜２００ｍｍ程度）であって、その開口率が７０％以上である渦流防止部材５を内側筒部２１に内嵌して取付けると、格子状の仕切り板５ｂにより渦流が阻止されて整流となり、大量の雨水が空気を吸い込むことなく速やかに内側筒部２１内を満流状態で流下するので好ましい。
【００４８】
円筒５ａの長さが５０ｍｍより短い場合は、渦流防止作用及び整流作用が不十分となり、開口率が７０％より低い場合は、内側筒部２１への雨水の流入量が減少して排水能力の低下を招くので、いずれの場合も好ましくない。
なお、上記の渦流防止部材５に代えて、外径が内側筒部２１の内径と実質的に同一である長さが５０ｍｍ以上の円柱に、その中心線と平行な多数の孔を形成して開口率を７０％以上とした渦流防止部材なども好適に使用することができる。
【００４９】
図６および図７に示すように、他の形態である渦流防止部材６は、直交する十字板６ａの下部に、軒樋５１の落とし口のベルマウス形状に対応する形状の切欠部６ｂを形成したものである。
渦流防止部材６の下部を内側筒部２１の上端部に挿入して取付けると、雨水が落とし口に流入する前に、渦流防止部材６の十字板６ａによって、渦流の発生が確実に阻止される。これにより、渦流による空気の吸込みがなくなって、サイフォン現象が安定して発生する。
【００５０】
また、図８および図９に示すように、内側筒部２１への空気の吸い込みを防止するためには、カバー７を落とし口を覆うように設けることも有効である。
カバー７は、上面視で正方形状を呈している。カバー７の四側面の下部に流入口７ａが形成されている。
【００５１】
カバー７を設置すると、軒樋５１の内部の雨水Ｗの水面が、流入口７ａより高くなったときに、落とし口と大気とがカバー７によって隔離されるため、落とし口からの空気の吸い込みが防止される。
特に、雨水の水面が上昇してカバー７が水中に埋没した状態になると、渦流による大気から落し口への空気通路がカバー７によって完全に遮断されるため、空気の吸込み防止作用が顕著に発揮されてサイフォン現象が極めて安定して発生する。
なお、このカバー７に代えて、下部周囲に流入口を形成した円形ドーム状のカバーなどを使用することも勿論可能である。
【００５２】
以上説明したように、本実施形態に係る排水部材１によれば、内側筒部２１の上端部に係合部２３が形成されている。このため、貫通孔５１ｂに上筒２０を挿通して下筒１０に装着させる際に、係合部２３が貫通孔５１ｂの内周縁と係合することで、内側筒部２１の上端部が、貫通孔５１ｂに対して径方向に位置決めされた状態となる。これにより、軒樋５１の貫通孔５１ｂに対して容易かつ正確に排水部材１を位置決めすることができる。
【００５３】
また、係合部２３が周方向の全域にわたって形成されている。このため、係合部２３を、貫通孔５１ｂに対して径方向に確実に係合させることが可能になり、係合部２３による位置決めの効果を顕著に奏することができる。
また、下筒１０の固着部１２に、逃げ部１３が形成されているので、係合部２３と固着部１２とが互いに干渉するのを回避することができる。
【００５４】
また、係合部２３が、内側筒部２１の上端部に形成されているので、外側筒部１１に係合部２３を形成する必要がない。このため、下筒１０に接着剤を塗布して、外側筒部１１を軒樋５１の底部５１ａに固着する場合に、外側筒部１１の上端部における内周縁部に、余剰した接着剤が流れ出る空間を確保しやすくすることができる。すなわち、下筒１０に係合部２３が形成されている場合、係合部２３が、前述の余った接着剤が流れ出ようとすることを邪魔するおそれがある。
【００５５】
また、係合部２３および逃げ部１３の上下方向の軸方向の大きさ、および軒樋５１の底部５１ａにおける軸方向の厚みが（１）式を満たしている。このため、下筒１０と上筒２０とを軒樋５１の底部５１ａに取付けた際に、係合部２３と逃げ部１３とが互いに干渉するのを確実に回避することができる。
【００５６】
なお、本発明の技術的範囲は前記実施形態に限定されるものではなく、本発明の趣旨を逸脱しない範囲において種々の変更を加えることが可能である。
【００５７】
例えば、上記実施形態においては、係合部２３が内側筒部２１の上端部に形成され、逃げ部１３が下筒１０に形成されている構成を示したが、このような態様に限られない。例えば、係合部２３が下筒１０に形成され、逃げ部１３が内側筒部２１の上端部に形成されてもよい。
【００５８】
具体的には、下筒１０に形成される係合部は、下筒１０の径方向の外側を向き上下方向に沿って延びる外周面と、上方向を向き下筒１０の径方向に沿って延びる上端面と、を備え、外周面および上端面が断面において略直角形状をなすよう交差し、外周面は塗布部１４の上面と係合部の上端面とを連結する段部を形成している。
このような場合には、貫通孔５１ｂの内側に下筒１０の係合部２３を係合させた後に、上筒２０を下筒１０に装着してもよい。これにより、上筒２０は、下筒１０を介して軒樋５１に位置決めすることができる。
【００５９】
また、上記実施形態においては、下筒１０の固着部１２に逃げ部１３が形成された構成を示したが、このような態様に限られない。下筒１０の固着部１２に逃げ部１３が形成されなくてもよい。このような場合には、下筒１０の外側筒部１１における大径部１１Ａの内側に、係合部２３が配置される構成としてもよい。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１  排水部材
１０  下筒
１１  外側筒部
１２  固着部
１３  逃げ部
２０  上筒
２１  内側筒部
２２  載置部
２３  係合部
５１  軒樋
５１ａ  底部
５１ｂ  貫通孔
【図１】
2019132060.tif 000003
【図２】
2019132060.tif 000004
【図３】
2019132060.tif 000005
【図４】
2019132060.tif 000006
【図５】
2019132060.tif 000007
【図６】
2019132060.tif 000008
【図７】
2019132060.tif 000009
【図８】
2019132060.tif 000010
【図９】
2019132060.tif 000011